(57)【要約】【課題】製造コストの増大及び生産性の低下を防ぎ、取出し作業も容易なカセット収納ケースを提供する。【解決手段】ケース本体１１の底板部２１に、テープカセットＣの四隅部を位置決め支持する位置決めリブ２３Ａ〜２３Ｄを一体的に形成する。これにより、部品点数及び作業工数を増大させずにカセット収納ケース１０を製造できるので、製造コストの増大及び生産性の低下が回避される。位置決めリブ２３Ａ〜２３Ｄは、略Ｌ字形状のリブ体５１，５３と、補助リブ５２Ａ，５２Ｂ，５４Ａ，５４Ｂとで構成される。補助リブはリブ体の反り又は変形を防止し、カセット収納性を確保する。位置決めリブ２３Ｃ，２３Ｄには、カセットの係合溝に係合可能な係合突起５５を設けて一定の係合力をもっての支持形態を図る。【選択図】        図６
2004306966.tif 000002
【特許請求の範囲】
【請求項１】
テープカセットが収納されるケース本体と、前記ケース本体に被せられる蓋体と、前記ケース本体及び前記蓋体に対してヒンジを介して結合された連接部とを備えたカセット収納ケースにおいて、
前記ケース本体には、前記テープカセットを位置決めするリブ体が、前記テープカセットの四隅部に対応する位置に各々一体的に形成されている
ことを特徴とするカセット収納ケース。
【請求項２】
前記各々のリブ体が略Ｌ字形状を有し、それぞれの端縁からは前記ケース本体の側壁に向かって延在する補助リブが形成されている
ことを特徴とする請求項１に記載のカセット収納ケース。
【請求項３】
前記補助リブと前記側壁との間が非連続的である
ことを特徴とする請求項２に記載のカセット収納ケース。
【請求項４】
前記補助リブが前記側壁に向かうに従って低高とされ、前記側壁の前記補助リブ先端に対向する領域が、前記補助リブ先端と同等の高さに形成されている
ことを特徴とする請求項２に記載のカセット収納ケース。
【請求項５】
前記リブ体の高さが、前記ケース本体に収納されたテープカセットの背面に取り付けられているセイフティタブの取付位置よりも低く形成されている
ことを特徴とする請求項１に記載のカセット収納ケース。
【請求項６】
前記複数のリブ体のうち、前記テープカセットの左右方向に対向する何れか一組のリブ体には各々、前記テープカセットの側面部に設けられた係合溝に係合する係合突起が前記リブ体の立設方向に沿って形成されている
ことを特徴とする請求項１に記載のカセット収納ケース。
【請求項７】
前記係合突起の上部には、内方へ向けて傾斜するガイド面が形成されている
ことを特徴とする請求項６に記載のカセット収納ケース。
【請求項８】
前記係合突起の上部が先細り形状を有している
ことを特徴とする請求項６に記載のカセット収納ケース。
【発明の詳細な説明】
【０００１】
【発明の属する技術分野】
本発明は、カセット収納ケースに関し、更に詳しくは、部品点数及び作業工数を少なくして製造コスト及び生産性の向上を図ることができるカセット収納ケースに関する。
【０００２】
【従来の技術】
例えば、放送局等で使用される業務用ビデオテープカセットは、テープカセット収納ハードケース（以下「カセット収納ケース」という。）に収納して保管されている。例えば、ＤＶ（デジタルビデオ）カセットミニタイプ用の従来のカセット収納ケースの構成として図１３に示すものがある（下記特許文献１参照）。
【０００３】
従来のカセット収納ケース１は、テープカセットが収納されるケース本体２と、ケース本体２に被せられる蓋体３と、ケース本体２及び蓋体３に対してヒンジ５，６を介して結合された連接部４とを備えている。ケース本体２には、収納されるテープカセットの外形に対応する大きさに形成された凹所（収納部）９を有する内トレイ８が内装されており、これにより収納したテープカセットの保護及びガタツキの防止が図られている。
【０００４】
内トレイ８は、ケース本体２とは別部材で構成されるもので、ケース本体２の側壁７の内方側に位置し、ケース本体２の底板部２Ａに対して熱溶着により一体化されている。内トレイ８の高さは、凹所９に収納されたテープカセットの高さ（厚さ）と略同等であり、両側部に形成した低高の取出部８ａ，８ａを介してテープカセットに指を掛け、凹所９からカセットを取り出せるようにしている。
【０００５】
【特許文献１】
特開平９−３０９５８２号公報
【特許文献２】
特開平１１−３２１９６８号公報
【特許文献３】
特開平１１−９１８５１号公報
【０００６】
【発明が解決しようとする課題】
以上のような構成の従来のカセット収納ケース１においては、ケース本体２とは別部材である内トレイ８を準備し、これをケース本体２へ熱溶着してテープカセットを収納する凹所９を形成する構造であるため、部品点数及び作業工数が多く、製造コストの削減、生産性の改善が求められている。
【０００７】
また、従来のカセット収納ケース１においては、凹所９に収納されているテープカセットの取出しを、内トレイ８に凹設した取出部８ａを介して行う構造であるが、より取出し性に優れた構造が求められている。
【０００８】
本発明は上述の問題に鑑みてなされ、製造コストの増大及び生産性の低下を防ぎ、取出し作業も容易なカセット収納ケースを提供することを課題とする。
【０００９】
【課題を解決するための手段】
以上の課題を解決するに当たり、本発明のカセット収納ケースは、ケース本体に、テープカセットを位置決めするリブ体が、テープカセットの四隅部に対応する位置に各々一体的に形成されていることを特徴とする。
【００１０】
本発明では、上記各リブ体によってケース本体にテープカセットの収納部を形成し、当該収納部に収納されたテープカセットは、その四隅部が上記リブ体によって各々位置決めされることになる。この構成により、上記リブ体をケース本体に一体成形により形成できるので部品点数及び作業工数の増大は回避され、また、各リブ体の形成間隙を利用して容易にテープカセットを取り出すことが可能となる。
【００１１】
テープカセットの四隅部を位置決めするリブ体は、略Ｌ字形状に形成するのが好適である。これにより、テープカセットをガタツキなく収納することができる。また、各リブ体の端縁からケース本体の側壁に向かって補助リブを延在させることによって、成形後のリブ体の反りや変形を防止し、カセット収納部の適切な容積を確保することができる。
【００１２】
また、複数のリブ体のうち、テープカセットの左右方向に対向する何れか一組のリブ体に各々、テープカセットの側面部に設けられた係合溝に係合する係合突起を当該リブ体の立設方向に沿って形成するようにすれば、リブ体とテープカセットとの間に一定の係合力を持たせることが可能となり、これにより、テープカセットのホールド性が高められ、例えばケース開放時にテープカセットが収納部から不用意に抜け落ちないようにすることができる。
【００１３】
また、上記係合突起の形成によってテープカセットの収納性が損なわれないようにするために、係合突起の上部に内方へ向けて傾斜するガイド面を形成したり、係合突起の上部を先細り形状とするのが好ましい。
【００１４】
【発明の実施の形態】
以下、本発明の実施の形態について図面を参照して説明する。
【００１５】
図１〜図４は本発明の実施の形態によるカセット収納ケース１０の全体を示している。ここで、図１はカセット収納ケース１０の全体斜視図、図２はその平面図、図３は図２における［３］−［３］線方向断面図、図４は正面図である。
【００１６】
カセット収納ケース１０は、テープカセットが収納されるケース本体１１と、このケース本体１１に被せられる蓋体１２と、ケース本体１１と蓋体１２とを連結する連接部１３とを備えている。ケース本体１１と連接部１３との間はヒンジ１４を介して連結されており、蓋体１２と連接部１３との間はヒンジ１５を介して連結されている。このカセット収納ケース１０は、全体として、ポリプロピレン等の合成樹脂材料の射出成形体で構成されている。
【００１７】
ケース本体１１は略長方形状の底板部２１を有しており、この底板部２１上に各種構造体が立ち上げ形成されている。
【００１８】
まず、底板部２１には、その周縁に沿って４つの側壁２２ｆ，２２ｂ，２２ｓ及び２２ｓがそれぞれ連続的に立上がり形成されている。このうち、側壁２２ｆは正面壁部を構成し、側壁２２ｂは背面壁部を構成する。また、側壁２２ｓ，２２ｓは左右の側壁部を構成している。これらの側壁は互いに連続的に形成されている。
【００１９】
側壁２２ｆ，２２ｂ，２２ｓによって囲まれる領域の底板部２１上には、テープカセットを収納する収納部を形成するための位置決めリブ２３Ａ，２３Ｂ，２３Ｃ及び２３Ｄが立設されている。位置決めリブ２３Ａ〜２３Ｄは、テープカセットの四隅部に対応する位置に、底板部２１に一体形成されている。なお、位置決めリブ２３Ａ〜２３Ｄの構成の詳細については後述する。
【００２０】
ここで、図５に本実施の形態のカセット収納ケース１０に収納されるテープカセットＣの外観を示す。本実施の形態では、ＤＶカセットミニタイプを例にして説明するが、勿論これに限られない。テープカセットＣは磁気テープを巻装した一対のリールを回転自在に収容するカセットシェルＳＨと、カセットシェルＳＨ前面のマウス部ＭＳを覆うリッドＲＤ等を備えている。
【００２１】
ケース本体１１の底板部２１の略中央部には、これに収納されるテープカセットＣのリールハブＨＢを受ける環状のハブ受けリブ２４、カセットシェルＳＨの下面を支持する放射状の支持リブ２５、カセットシェルＳＨの下面に穿設されているテープエンド検出用孔ＬＨに嵌合する嵌合リブ２６、及び、テープカセットＣの収納姿勢方向を示す表示２７がそれぞれ設けられている。
【００２２】
ここで、ハブ受けリブ２４の高さは、カセット載置時、当該カセットの下シェルが支持リブ２５上端との間に一定の隙間が形成されるように設計されている。また、表示２７は、テープカセットＣの前方向が連接部１３側であることを示唆する矢印で構成されているが、特にこれに限定されることはない。例えば、テープカセットの正規の姿勢を模式的に示す図形表示で当該表示２７を構成してもよい。
【００２３】
一方、蓋体１２は略長方形状の天板部３１を有し、この天板部３１には、その周縁に沿って３つの側壁３２ｆ，３２ｓ及び３２ｓがそれぞれ連続的に立上がり形成されている。このうち、側壁３２ｆは、ケースを閉じた際にケースの正面壁部を構成し、３２ｓは左右の側壁部を構成する。これらの側壁３２ｆ，３２ｓは、ケースを閉じた際、ケース本体の側壁２２ｆ，２２ｓの外方側に位置するように構成されている。
【００２４】
天板部３１には、カセット収納時、テープカセットＣのカセットシェルＳＨの上面を押圧する押圧リブ３３，３４がそれぞれ設けられている。また、側壁３２ｆの内面側には、ケースを閉じた際、ケース本体１１の正面壁部２２ｆと蓋体１２の正面壁部３２ｆとの間の相対距離を規制する規制部３６が設けられている。
【００２５】
更に、蓋体１２の左右の側壁部３２ｓの内面側には、ケースを閉じた際、ケース本体１１の側壁部２２ｓに形成された係合孔２８に係合する係合凸部３５がそれぞれ設けられている。これら係合孔２８及び係合凸部３５によって、カセット収納ケース１０の側壁ロック部を構成している。なお、係合孔２８が設けられる側壁部２２ｓの上面には、係合凸部３５を係合孔２８へガイドするためのテーパ面２９が形成されている。
【００２６】
連接部１３には、ケースを閉じた際、ケース本体１１の背面壁部２２ｂの外面側に当接するストッパ３７が突設されている。このストッパ３７は、連接部１３とケース本体１１の背面壁部２２ｂとの間の最近接位置を規制する機能を有している。
【００２７】
次に、ケース本体１１の底板部２１の正面略中央部には、ヒンジ４２を介してフラップ板４１が連結されている。このフラップ板４１には、蓋体１２の正面壁部３２ｆに突設された係止部４４に係止される鉤部４３が設けられている。これにより、ケースを閉じた際、フラップ板４１を折り返して鉤部４３と係止部４４とを互いに係止させることによって、カセット収納ケース１０のサイドロック機能が得られることになる。
【００２８】
続いて、本発明に係る位置決めリブ２３Ａ〜２３Ｄの構成の詳細について図６〜図１２を参照して説明する。
【００２９】
ここで、図６はケース本体１１の拡大平面図、図７は位置決めリブ２３Ｄの斜視図、図８は図６におけるＡ部の拡大図、図９は図６における［９］−［９］線方向断面図、図１０は図７における［１０］−［１０］線方向断面図、図１１は図６における［１１］−［１１］線方向断面図、図１２はケース本体１１にテープカセットＣを収納した状態を示す正面図である。
【００３０】
位置決めリブ２３Ａ及び２３Ｂは、テープカセットＣの前方側隅部を位置決めするためのもので、互いに対称な形状に形成されており、背面壁部２２ｂに略平行な第１リブ部５１Ａと側壁２２ｓに略平行な第２リブ部５１Ｂとを有する略Ｌ字形状のリブ体５１で構成されている。
【００３１】
第１リブ部５１Ａの先端には、これと直交するように、背面壁部２２ｂへ向かって延在する補助リブ５２Ａが設けられている。また、第２リブ５１Ｂの先端には、これと直交するように、側壁２２ｓへ向かって延在する補助リブ５２Ｂが設けられている。これら補助リブ５２Ａ，５２Ｂの形成により、リブ体５１の特に内方側への反り又は変形を規制して、テープカセットＣの収納性を確保するようにしている。
【００３２】
リブ体５１から側壁（背面壁部２２ｂ，側壁部２２ｓ）へ向かって延びる補助リブ５２Ａ，５２Ｂの先端は、側壁２２ｂ，２２ｓと対向しており、これら側壁２２ｂ，２２ｓとは非連続的とされている。これにより、補助リブ５２Ａ，５２Ｂと側壁２２ｂ，２２ｓとの連接によって底板部２１の外面側に発生する樹脂のヒケを防止することができる。
【００３３】
また、補助リブ５２Ａ，５２Ｂの上面は、側壁２２ｂ，２２ｓへ向かうに従って低高となる傾斜面ｔを有している（図１，図３，１１）。これにより、補助リブ５２Ａ，５２Ｂの樹脂充填不良等の成形不良の発生が抑制される。
【００３４】
一方、位置決めリブ２３Ｃ及び２３Ｄは、テープカセットＣの後方側隅部を位置決めするためのもので、互いに対称な形状に形成されており、正面壁部２２ｆに略平行な第１リブ部５３Ａと側壁２２ｓに略平行な第２リブ部５３Ｂとを有する略Ｌ字形状のリブ体５３で構成されている。
【００３５】
第１リブ部５３Ａの先端には、これと直交するように、正面壁部２２ｆへ向かって延在する補助リブ５４Ａが設けられている。また、第２リブ部５３Ｂの先端には、これと直交するように、側壁２２ｓへ向かって延在する補助リブ５４Ｂが設けられている。これら補助リブ５４Ａ，５４Ｂの形成により、リブ体５１の特に内方側への反り又は変形を規制して、テープカセットＣの収納性を確保するようにしている。
【００３６】
リブ体５３から側壁（正面壁部２２ｆ，側壁部２２ｓ）へ向かって延びる補助リブ５４Ａ，５４Ｂの先端は、側壁２２ｆ，２２ｓと対向しており、これら側壁２２ｆ，２２ｓとは非連続的とされている。これにより、補助リブ５４Ａ，５４Ｂと側壁２２ｆ，２２ｓとの連接によって底板部２１の外面側に発生する樹脂のヒケを防止することができる。
【００３７】
また、補助リブ５４Ａ，５４Ｂの上面は、側壁２２ｆ，２２ｓへ向かうに従って低高となる傾斜面ｔを有している（図７，図９，１０）。これにより、補助リブ５２Ａ，５２Ｂの樹脂充填不良等の成形不良の発生が抑制される。
【００３８】
そして、これら位置決めリブ２３Ｃ，２３Ｄには、テープカセットＣの側面後方側にカセット厚さ方向に形成されたカセットオートチェンジャー挿入用の係合溝ＳＷに係合する係合突起５５がリブ体５３の立設方向に沿ってそれぞれ形成されている。
【００３９】
係合突起５５の上部には、内方へ向けて下方傾斜するガイド面５５ａが形成されている（図７〜図９）。この構成により、ケース本体１１へ収納されるテープカセットＣを位置決めリブ２３Ｃ及び位置決めリブ２３Ｄの間にガイドする作用を行わせるようにしている。
【００４０】
また、係合突起５５の中途部から上部に向かって先細り形状の先細り部５５ｂを有している。この構成により、位置決めリブ２３Ｃ及び位置決めリブ２３Ｄとの間に収納配置されたテープカセットＣの係合溝ＳＷへ係合突起５５を容易に係合できるようにして、テープカセットＣの収納性を確保している。
【００４１】
なお、位置決めリブ２３Ｃ，２３Ｄの第２リブ部５３Ｂの外面側であって、係合突起５５の形成位置と対応する領域に溝部５６を設けており、これにより、底板部２１の外面側であって係合突起５５の形成部位に対応する領域での樹脂のヒケの発生を抑えるようにしている。
【００４２】
更に、位置決めリブ２３Ａ〜２３Ｄの高さはそれぞれ任意に設定可能である。このとき、少なくとも位置決めリブ２３Ｄの高さを、ケース本体１１に収納されているテープカセットＣの背面に取り付けられているセイフティタブＳＴの取付位置よりも低く形成するようにすれば、ケース本体１１からテープカセットを取り出すことなくその記録可否状態を認識することができるようになる。より具体的には、図１２に示すように、テープカセットＣがケース本体１１に収納された状態において、セイフティタブＳＴが「記録可能位置」及び「記録不可能位置」の何れに位置しているかを認識できる程度の高さに位置決めリブ２３Ｄの高さが設定されている。
【００４３】
なお、本実施の形態では、他の位置決めリブ２３Ａ〜２３Ｃの高さが当該位置決めリブ２３Ｄと同等の高さに形成されている。
【００４４】
また、ケース本体１１の側壁２２ｆ，２２ｂ，２２ｓであって、位置決めリブ２３Ａ〜２３Ｄの補助リブ５２Ａ，５２Ｂ，５４Ａ及び５４Ｂの先端と対向する領域には、これら側壁を補助リブ先端と同等の高さにするための欠落部２２ｐがそれぞれ設けられている。この欠落部２２ｐの形成により、ケース本体１１からのテープカセットＣの取出し性が高められている。
【００４５】
なお、この欠落部２２ｐの形成範囲は、各側壁２２ｆ，２２ｂ，２２ｓにおいて、少なくとも互いに対向する一対の補助リブの間、すなわち、位置決めリブ２３Ａの補助リブ５２Ａと位置決めリブ２３Ｂの補助リブ５２Ａとの間、位置決めリブ２３Ｂの補助リブ５２Ｂと位置決めリブ２３Ｄの補助リブ５４Ｂとの間、位置決めリブ２３Ｃの補助リブ５４Ａと位置決めリブ２３Ｄの補助リブ５４Ａとの間、そして、位置決めリブ２３Ａの補助リブ５２Ｂと位置決めリブ２３Ｃの補助リブ５４Ｂとの間に設けられていればよい。
【００４６】
本発明に係る位置決めリブ２３Ａ〜２３Ｄは以上のように構成される。次に、この作用について説明する。
【００４７】
テープカセットＣをカセット収納ケース１０に収納する際、先ず、ケース本体１１の位置決めリブ２３Ａ〜２３Ｄによって区画形成される収納部へテープカセットＣを配置する。このとき、ケース本体１１の底板部２１に形成された表示２７は、テープカセットＣの収納方向を示唆する作用を行う。
【００４８】
ケース本体１１へテープカセットＣを収納する際、位置決めリブ２３Ｃ及び位置決めリブ２３Ｄの各々に設けられた係合突起５５がテープカセットＣの係合溝ＳＷに係合する。このとき、係合突起５５のガイド面５５ａがテープカセットＳＨを位置決めリブ２３Ｃ及び位置決めリブ２３Ｄの間にガイドする作用を行い、また、係合突起５５の先細り部５５ｂがテープカセットＣの係合溝ＳＷを係合突起５５へガイドする作用を行う。これにより、係合突起５５の形成によるテープカセットＣの位置決めリブ２３Ｃ，２３Ｄに対する収納性低下が回避される。
【００４９】
以上のようにして、ケース本体１１上において、テープカセットＣの四隅部が位置決めリブ２３Ａ〜２３Ｄによって位置決めされる。本実施の形態では、位置決めリブ２３Ａ〜２３Ｄを構成するリブ体５１，５３が略Ｌ字形状で構成されているので、テープカセットＣをガタツキなく収納支持することができる。
【００５０】
また、この状態において、テープカセットＣは位置決めリブ２３Ｃ及び位置決めリブ２３Ｄとの間に一定の係合力を持っているので、ケース本体１１に対するテープカセットＣのホールド性が高められ、これにより、例えばケース開放時にテープカセットＣの不用意な脱落等が防止される。
【００５１】
テープカセットＣは、ケース本体１１に載置されると、その一対のリールハブＨＢがハブ受けリブ２４によって各々支持される。このとき、カセットシェルＳＨの下面は支持リブ２５との間に一定の隙間を介して対向される。この状態で蓋体１２がヒンジ１４，連接部１３及びヒンジ１５を介してケース本体１１に被せられて、係合孔２８と係合凸部３５とで構成される側壁ロック部が機能すると、天板部３１上の押圧リブ３３，３４によってカセットシェルＳＨの上面が押圧され、カセットシェルＳＨの下面が支持リブ２５に当接される。これにより、リールハブＨＢは、ハブ受けリブ２４と、カセットシェルＳＨ内の図示しないリール押えバネとの間で支持されることになる。そして、フラップ板４１を折り曲げて鉤部４３を係止部４４へ係止させることによって、カセット収納ケース１０へのテープカセットＣの収納操作が完了する。
【００５２】
本実施の形態のカセット収納ケース１０によれば、テープカセットＣの四隅部を支持する位置決めリブ２３Ａ〜２３Ｄが、ケース本体１１の底板部２１に各々一体的に形成されているので１ショットの成形作業でケースを製造することができ、カセット支持機構を別部品で構成する従来のケース構造に比べて部品点数及び作業工数を低下させて、製造コストの低減及び生産性の向上を図ることが可能となる。
【００５３】
また、ケース本体１１に対するテープカセットＣの支持機構をテープカセットＣの四隅部を各々支持する位置決めリブ２３Ａ〜２３Ｄで構成したので、これら位置決めリブ２３Ａ〜２３Ｄ間の立設間隙を介してテープカセットＣをその両側端は勿論、前後の端部にも指を掛けられることになり、ケース本体１１からのテープカセットＣの取出し性を改善することができる。
【００５４】
以上、本発明の実施の形態について説明したが、勿論、本発明はこれに限定されることなく、本発明の技術的思想に基づいて種々の変形が可能である。
【００５５】
例えば以上の実施の形態では、位置決めリブ２３Ａ〜２３Ｄのリブ体５１，５３をそれぞれ第１リブ部５１Ａ，５３Ａ及び第２リブ部５１Ｂ，５３Ｂの一体的なリブ構造体で構成したが、これら第１リブ部及び第２リブ部は互いに離間して形成されていてもよい。
【００５６】
また、以上の実施の形態では、ＤＶカセットミニタイプ用のカセット収納ケースを例に挙げて説明したが、勿論、テープカセットの種類はこれに限られず、他のフォーマット形式のテープカセット用のカセット収納ケースに対しても、本発明は適用可能である。
【００５７】
【発明の効果】
以上述べたように、本発明のカセット収納ケースによれば、ケース本体に、テープカセットを位置決めするリブ体が、テープカセットの四隅部に対応する位置に各々一体的に形成されているので、製造コストの低減及び生産性の向上を図ることができるとともに、ケース本体に対するテープカセットの取出し性を高めることができる。
【図面の簡単な説明】
【図１】本発明の実施の形態によるカセット収納ケース１０の全体構成を示す斜視図である。
【図２】カセット収納ケース１０の平面図である。
【図３】図２における［３］−［３］線方向断面図である。
【図４】カセット収納ケース１０の正面図である。
【図５】カセット収納ケース１０に収納されるテープカセットＣの下面側から見た斜視図である。
【図６】カセット収納ケース１０のケース本体１１の平面図である。
【図７】本発明に係る位置決めリブ２３Ｄの斜視図である。
【図８】位置決めリブ２３Ｃの要部平面図である。
【図９】図６における［９］−［９］線方向断面図である。
【図１０】図６における［１０］−［１０］線方向断面図である。
【図１１】図６における［１１］−［１１］線方向断面図である。
【図１２】ケース本体１１へテープカセットＣを収納配置したときのカセット収納ケース１０の正面図である。
【図１３】従来のカセット収納ケースの全体構成を示す斜視図である。
【符号の説明】
１０…カセット収納ケース、１１…ケース本体、１２…蓋体、１３…連接部、１４，１５…ヒンジ、２１…底板部、２２…側壁、２３Ａ〜２３Ｄ…位置決めリブ、３１…天板部、３２…側壁、５１，５３…リブ体、５２Ａ，５２Ｂ，５４Ａ，５４Ｂ…補助リブ、５５…係合突起、５５ａ…ガイド面、５５ｂ…先細り部、Ｃ…テープカセット、ＨＢ…リールハブ、ＳＨ…カセットシェル、ＳＷ…係合溝。
【図１】
2004306966.tif 000003
【図２】
2004306966.tif 000004
【図３】
2004306966.tif 000005
【図４】
2004306966.tif 000006
【図５】
2004306966.tif 000007
【図６】
2004306966.tif 000008
【図７】
2004306966.tif 000009
【図８】
2004306966.tif 000010
【図９】
2004306966.tif 000011
【図１０】
2004306966.tif 000012
【図１１】
2004306966.tif 000013
【図１２】
2004306966.tif 000014
【図１３】
2004306966.tif 000015